(57)【要約】【課題】アジャスターの構造が複雑化してしまう。【解決手段】ケーシング５における第１アウターケーブル２の固定部位とは反対側の部位に、ケーシング５に対し回転不能とし、且つ先端部に第２アウターケーブル３を固定したシャフト６の基端部位が貫通し、該シャフト６におけるケーシング５内の部位に長さ調節具７を回転可能に外嵌し、長さ調節具７における一方のリング状部品24は、シャフト６の側部に突設したピン21を収容可能な複数個の溝26、26a …を一端側の円環状の端面に、円周方向に等角度毎に配置し、且つシャフト６の軸線方向に段階的にずらして形成し、他方は２個のリング状部品25の一端側の円周面における溝26、26a …の対向部位に、溝26、26a …の配置と同じ螺旋形状の螺旋傾斜面29を形成する。各部品、特に溝26、26a …を有するリング状部品24の製造時に高い精度が必要であるが、構造自体は単純で、組立ても簡単に行うことが可能になる。【選択図】図１
2019065977.tif 000002
【特許請求の範囲】
【請求項１】
分断された第１、２アウターケーブルの間に配置され、且つ該第１、２アウターケーブル内に挿入されたインナーケーブルを貫通状態としたアジャスターであって、
前記第１アウターケーブルを固定するケーシングと、該ケーシングにおける前記第１アウターケーブルの固定部位とは反対側の部位を基端部位が貫通すると共に、先端部に前記第２アウターケーブルを固定する、前記ケーシングに対し回転不能にした軸線方向に進退自在なシャフトと、該シャフトにおける前記ケーシング内の部位に回転可能に外嵌された長さ調節具と、該長さ調節具と前記ケーシングにおける前記シャフトの貫通部材との隙間に嵌め込むスペーサとを有し、前記ケーシングは枠板内に設けた仕切板により２つの空間を有しており、前記シャフトは前記２つの空間の一方及び仕切板を貫通し、前記２つの空間の一方内部位の側部にピンを突設すると共に、中央にインナーケーブルの挿通孔を貫通形成し、前記長さ調節具は、２個のリング状の部品に分離可能とし、該２個のリング状部品の一方は、ピンを収容可能な複数個の溝を一端側の円環状の端面に形成し、該溝は、円周方向に等角度毎に配置され、且つ隣接する溝を調整長さの最小単位分シャフトの軸線方向に段階的にずらして形成し、前記２個のリング状部品の他方は、一端側の円周面における前記溝の対向部位に三角形状の凹部を形成し、該凹部の螺旋傾斜面を前記溝の配列と同じ螺旋形状としたことを特徴とするコントロールケーブル用アジャスター。
【請求項２】
前記２個のリング状部品の一方に突起を形成すると共に、前記２個のリング状部品の他方に前記突起を収容可能な切込みを形成したことを特徴とする請求項１記載のコントロールケーブル用アジャスター。
【請求項３】
前記シャフトにおける前記ケーシングからの突出部位に圧縮バネを外装し、該圧縮バネの両端部を、前記ケーシング及びシャフトの先端又は前記前記第２アウターケーブルに設けたバネ受けに当接状させたことを特徴とする請求項１又は２記載のコントロールケーブル用アジャスター。
【請求項４】
前記２個のリング状部品の側部に、前記インナーケーブルの通過スリットを形成したことを特徴とする請求項１、２又は３記載のコントロールケーブル用アジャスター。
【発明の詳細な説明】
【技術分野】
【０００１】
本発明は、コントロールケーブルにおけるアウターケーブルの端部からのインナーケーブルの端部の突出長さ、即ち遊動長を調節可能にしたアジャスターに関する。
【背景技術】
【０００２】
従来、コントロールケーブルの取付け長さを調整するアジャスターとしては、長さが調整されるコントロールケーブルの端部に形成されたロッドと、該ロッドが収容されるホルダと、該ホルダ内で、前記ロッドに係合して、このロッド及び該ロッドに固定されたコントロールケーブルの軸方向の移動を規制するロックピースと、該ロックピースを固定するロックとを有し、前記ホルダ内に、前記コントロールケーブルの一端に固定されたロッドを、軸方向に移動自在に設け、前記ロックピースを前記ホルダに設けられた挿着孔に押し込むことにより、前記ロッドに形成された被係合部と、前記ロックピースに形成された係合部とを係合して前記ロッドの軸方向の位置を調整し、前記ロッドの被係合部と前記ロックピースの係合部とを係合させた後、前記ロックを前記ロックピース側にスライドさせることにより、前記ロックピースを前記ホルダに固定して、前記コントロールケーブルの長さを調整可能にしたものが見受けられる（例えば、特許文献１参照）。
【０００３】
しかし、このアジャスターは、コントロールケーブルにおける操作手段であるインナーケーブルの端部に設けることで遊動長を調節可能にしたものであることから、細いインナーケーブルの通過箇所に配置しなければならないため、スペースの関係上対応出来ないことが有り得ることを否定出来ない。
【０００４】
又、コントロールケーブルにおけるインナーケーブルの遊動長を調整する別のアジャスターとしては、第１アウターケーブルと、第２アウターケーブルと、第１、２アウターケーブル内に摺動可能に挿入されたインナーケーブルと、第１アウターケーブルの長手方向端部のうち第２アウターケーブル側に設けられ、内部にインナーケーブルが摺動可能に挿入された円筒状の第１筒部であって、外周面に雄ねじを有する第１筒部と、第２アウターケーブルの長手方向端部のうち第１アウターケーブル側に設けられ、内部に第１筒部の少なくとも一部が摺動可能に挿入された第２筒部と、第１筒部の雄ねじと噛み合う雌ねじを有するとともに、外形部が多角形状に構成されたナットであって、第２筒部の中心軸線方向端部と滑り接触可能なナットと、該ナットの外形部に引っ掛かって係合することによりナットが雄ねじに対して回転することを規制する規制部とを備え、該規制部による規制を解除して前記ナットを回転させ、これに応じて第１筒部が当該第１筒部の中心軸線と平行な方向に変位させた後に規制部により規制することで、作業者が規制部による解除・係合作業及び前記ナットを回転させる作業を行うだけで、アウターケーブル全体としての長さを伸縮させてインナーケーブルの遊動長を調整可能にしたものが見受けられる（例えば、特許文献２参照）。
【先行技術文献】
【特許文献】
【０００５】
【特許文献１】特許第５７６３４７０号公報
【特許文献２】特開２０１７−８９７９６号公報
【発明の概要】
【発明が解決しようとする課題】
【０００６】
しかし、上記従来技術にあっては、第２筒部の中心軸線方向端部にナットを正逆回転可能に組み付けねばならず、而もナットの回転の規制部を第２筒部に該第２筒部の中心軸線方向にスライド可能に組み付けねばならないため、構造が複雑化してしまうなど、解決せねばならない課題があった。
【課題を解決するための手段】
【０００７】
本発明は、上記従来技術に基づく、アジャスターの構造が複雑化してしまう課題に鑑み、分断された第１、２アウターケーブルの間に配置され、且つ該第１、２アウターケーブル内に挿入されたインナーケーブルを貫通状態としたアジャスターであって、前記第１アウターケーブルを固定するケーシングと、該ケーシングにおける前記第１アウターケーブルの固定部位とは反対側の部位を基端部位が貫通すると共に、先端部に前記第２アウターケーブルを固定する、前記ケーシングに対し回転不能にした軸線方向に進退自在なシャフトと、該シャフトにおける前記ケーシング内の部位に回転可能に外嵌された長さ調節具と、該長さ調節具と前記ケーシングにおける前記シャフトの貫通部材との隙間に狭入するスペーサとを有し、前記ケーシングは枠板内に設けた仕切板により２つの空間を有しており、前記シャフトは前記２つの空間の一方及び仕切板を貫通し、前記２つの空間の一方内部位の側部にピンを突設すると共に、中央にインナーケーブルの挿通孔を貫通形成し、前記長さ調節具は、２個のリング状の部品に分離可能とし、該２個のリング状部品の一方は、ピンを収容可能な複数個の溝を一端側の円環状の端面に形成し、該溝は、円周方向に等角度毎に配置され、且つ隣接する溝を調整長さの最小単位分シャフトの軸線方向に段階的にずらして形成し、前記２個のリング状部品の他方は、一端側の円周面における前記溝の対向部位に三角形状の凹部を形成し、該凹部の螺旋傾斜面を前記溝の配列と同じ螺旋形状とすることによって、各部品、特に溝を有するリング状部品の製造時に高い精度が必要であるが、構造自体は単純で、組立ても簡単に行える様にして、上記課題を解決する。
【発明の効果】
【０００８】
要するに本発明は、分断された第１、２アウターケーブルの間に配置され、且つ該第１、２アウターケーブル内に挿入されたインナーケーブルを貫通状態としたアジャスターであって、前記第１アウターケーブルを固定するケーシングと、該ケーシングにおける前記第１アウターケーブルの固定部位とは反対側の部位を基端部位が貫通すると共に、先端部に前記第２アウターケーブルを固定する、前記ケーシングに対し回転不能にした軸線方向に進退自在なシャフトと、該シャフトにおける前記ケーシング内の部位に回転可能に外嵌された長さ調節具と、該長さ調節具と前記ケーシングにおける前記シャフトの貫通部材との隙間に狭入するスペーサとを有し、前記ケーシングは枠板内に設けた仕切板により２つの空間を有しており、前記シャフトは前記２つの空間の一方及び仕切板を貫通し、前記２つの空間の一方内部位の側部にピンを突設すると共に、中央にインナーケーブルの挿通孔を貫通形成し、前記長さ調節具は、２個のリング状の部品に分離可能とし、該２個のリング状部品の一方は、ピンを収容可能な複数個の溝を一端側の円環状の端面に形成し、該溝は、円周方向に等角度毎に配置され、且つ隣接する溝を調整長さの最小単位分シャフトの軸線方向に段階的にずらして形成し、前記２個のリング状部品の他方は、一端側の円周面における前記溝の対向部位に三角形状の凹部を形成し、該凹部の螺旋傾斜面を前記溝の配列と同じ螺旋形状としたので、ケーシング、シャフト、長さ調節具及びスペーサは単純な形状で、而も長さ調節具を収容したケーシングにシャフトを挿入して、長さ調節具とケーシング間にスペーサを狭入するだけで組立てが可能で、更に調整作業はスペーサを着脱すると共に長さ調節具を回転させて、第１、２アウターケーブル間を拡縮してアウターケーブル全体としての長さを伸縮させるだけの簡易操作で行うことが出来る。
【０００９】
前記２個のリング状部品の一方に突起を形成すると共に、前記２個のリング状部品の他方に前記突起を収容可能な切込みを形成したので、２個のリング状部品が係合・離脱状態であっても同期回転させることが出来るため、個々に回転することで生じる２個のリング状部品の位置合わせ作業を不要にすることが出来る。
【００１０】
前記シャフトにおける前記ケーシングからの突出部位に圧縮バネを外装し、該圧縮バネの両端部を、前記ケーシング及びシャフトの先端又は前記前記第２アウターケーブルに設けたバネ受けに当接状させたので、使用時に、一方のリング状部品を、他方のリング状部品と係合状態のまま、圧縮バネの弾性復元力により、シャフト、ピンを介してスペーサに押し付けることが出来るため、ケーシングに対するシャフトのがたつきを確実に防止することが出来る。
【００１１】
前記２個のリング状部品の側部に、前記インナーケーブルの通過スリットを形成したので、シャフトをケーシングから抜脱して、該ケーシング内にインナーケーブルが貫通状態の２個のリング状部品が残っても、インナーケーブルが通過スリットを通過することから、ケーシング内から２個のリング状部品を取り外すことが出来るため、２個のリング状部品を別のものに交換することが出来る等その実用的効果甚だ大である。
【図面の簡単な説明】
【００１２】
【図１】本発明に係るコントロールケーブル用アジャスターの正面図である。
【図２】図１のＡ−Ａ断面図である。
【図３】ケーシングの斜視図である。
【図４】長さ調節具における一方のリング状部品の斜視図である。
【図５】長さ調節具における他方のリング状部品の斜視図である。
【図６】シャフトの斜視図である。
【図７】スペーサの斜視図である。
【図８（ａ）】第１、２アウターケーブル間を最小とした状態のアジャスターの正面図である。
【図８（ｂ）】第１、２アウターケーブル間を最大とした状態のアジャスターの正面図である。
【図８（ｃ）】長さ調節具における両方のリング状部品を離間させた状態のアジャスターの正面図である。
【図９（ａ）】アジャスターの組立て時におけるケーシングへのシャフトの挿入段階を示す断面図である。
【図９（ｂ）】アジャスターの組立て時におけるシャフト及び長さ調節具を回転させてピンを正面中央に向ける段階を示す断面図である。
【図１０（ａ）】アジャスターの組立て時におけるシャフト及び長さ調節具を回転させてピンを正面中央に向ける段階を示す正面図である。
【図１０（ｂ）】アジャスターの組立て時におけるシャフトの基端部を仕切板のシャフト挿通孔に貫通させる段階を示す正面図である。
【図１１】長さ調節具におけるインナーケーブルの通過スリットを設けた一方のリング状部品の斜視図である。
【図１２】長さ調節具におけるインナーケーブルの通過スリットを設けた他方のリング状部品の斜視図である。
【図１３】図１１、１２のリング状部品からなる長さ調節具を使用したアジャスターからシャフトを抜脱した状態を示す正面図である。
【図１４】本発明に係るコントロールケーブル用アジャスターを取り付けたコントロールケーブルの側面図である。
【図１５】本発明に係るコントロールケーブル用アジャスターを取り付けたコントロールケーブルの他の実施例の側面図である。
【発明を実施するための形態】
【００１３】
本発明に係る、チューブ状のアウターケーブル内にインナーケーブルを挿通させたコントロールケーブル用のアジャスター１にあっては、図１４、１５に示す様に、分断された第１、２アウターケーブル２、３の間に配置され、且つ該第１、２アウターケーブル２、３内に挿入されたインナーケーブル４を貫通状態として、第１、２アウターケーブル２、３の端部からのインナーケーブル４の端部の突出長さ、即ち遊動長Ｘ１，Ｘ２を調節可能にしている。
【００１４】
このコントロールケーブル用のアジャスター１は、基本的に、図１、２に示す様に、分断された一方の第１アウターケーブル２を固定するケーシング５と、該ケーシング５における第１アウターケーブル１の固定部位とは反対側の部位を貫通させて、基端部位をケーシング５内に配置し、先端部に他方の第２アウターケーブル３を固定するシャフト６と、該シャフト６におけるケーシング５内の部位に回転可能に外嵌された長さ調節具７と、該長さ調節具７とケーシング５との隙間に嵌め込むスペーサ８とを有している。
【００１５】
ケーシング５は、図３に示す様に、平面視長方形状の枠板９と、該枠板９内に設けた仕切板10とを有し、枠板９は一対の側板11、11a 及び一対の端板12、12a とを有し、枠板９内は仕切板10により２つの空間13、13a に区割され、一対の側板11、11a 、仕切板10及び一方の端板12で形成された一方の空間13をシャフト６の基端部位が貫通することで、一方の端板12及び仕切板10にシャフト６の挿通孔14、15が形成され、シャフト６の基端部が仕切板10を貫通して他方の空間13a 内に突出している。
【００１６】
枠板９における他方の端板12a の外側面に突出部16を形成し、端板12a 及び突出部16にインナーケーブル４の挿通孔17を貫通形成し、突出部16の先端面に第１アウターケーブル２の端部を挿入固定する凹部18を形成している。
【００１７】
シャフト６は、図６に示す様に、基本的には、基端部が断面正方形状に削成された丸棒で、大部分を占める断面円形状のシャフト本体19と、断面正方形状の基端部位20と、シャフト本体19における基端部位20寄りの部位に突設したピン21とを有しており、ケーシング５における枠板９の挿通孔14は円形で、仕切板10における挿通孔15は正方形として、シャフト６に対し長さ調節具７は回転可能であるが、シャフト６自体は回転せずに軸線方向に進退する様に成っている。
ピン21は、基端部位20の角部の延長線上、且つ図１０（ａ）に示す様に、組立て時にシャフト６の基端が仕切板10に当接した状態で一方の空間13内に位置する様に配置している。
シャフト６は、中央にインナーケーブル４の挿通孔22を貫通形成し、先端面中央に第２アウターケーブル３の端部を挿入固定する凹部23を形成している。
つまり、シャフト６の基端部位20と仕切板10の挿通孔15の形状は、組立て時におけるケーシング５へのシャフト６の挿入段階には基端部位20が挿通孔15を通過不能で、挿入後にシャフト６を回転させてピン21が正面中央に位置した後のシャフト６の押し込み時に通過可能であれば良く、シャフト６のシャフト本体19の断面形状とケーシング５における枠板９の挿通孔14の形状は、組立て時にシャフト６を回転させる関係上、円形とするのが好ましい。
【００１８】
長さ調節具７は、図１、８（ａ）〜（ｃ）に示す様に、２個のリング状の部品24、25に分離可能とし、一方のリング状部品24は、図４に示す様に、ピン21を収容可能な複数個の溝26、26a …を一端側の円環状の端面に形成すると共に、他端側の外周面に鍔部27を周設し、溝26、26a …は、全て同じ深さで、円周方向に等角度毎に配置され、且つ隣接する溝26、26a …を調整長さの最小単位ｓ分シャフト６の軸線方向に段階的にずらして形成する、即ち螺旋線上に配置形成されており、好ましくは、隣接する溝26、26a …間の部位の頂部を、シャフト６の軸線方向に対し直角な平坦面としている。
【００１９】
他方のリング状部品25は、図５に示す様に、他端側の外周面に鍔部28を周設し、一端側の円周面における溝26、26a …の形成部位の対向部位に、溝26、26a …の配置と同じ螺旋形状の螺旋傾斜面29を形成すべく三角形状の凹部を形成し、この螺旋傾斜面29と溝26、26a …で囲まれた空間内にピン21を収容可能にしている。
【００２０】
一方のリング状部品24の一端側の端面における溝26、26a …の形成部位以外の部位にスライド突起30を、他方のリング状部品25の一端側の端面における螺旋傾斜面29の形成部位以外の部位にスライド突起30を収容可能な切込み31を形成し、突起30を切込み31に収容することで、２個のリング状部品24、25を、該リング状部品24、25を係合・離間状態を問わず同期回転可能としている。
【００２１】
ケーシング５の側板11、11a の内側面における空間13内の部位に、仕切板10に対向する突条32、32a を形成し、該突条32、32a の間を他方のリング状部品25における鍔部28以外の部位の径より若干広くし、突条32、32a と仕切板10との間を鍔部28の厚さより若干広くし該鍔部28の両側部位を狭入して、該他方のリング状部品25がケーシング５に対しシャフト６の軸線方向に移動しない様にしている。
【００２２】
一方の端板12及び一方のリング状部品24にピン21の通過部位33、34を形成し、一方の端板12のピン通過部位33は、シャフト挿通孔14で開口する切込みとし、一方のリング状部品24のピン通過部位34は一方のリング状部品24の内周面に形成された溝としている。
尚、ピン通過部位33は、図３、９（ａ）、９（ｂ）に示す様に、一方の端板12におけるケーシング５の正面側の部位で、シャフト挿通孔14の中心線より若干ずらした位置に形成することで、組立て時にピン21が正面位置に来るまでシャフト６を回転させる角度を少なくする様に形成するのが好ましい。
【００２３】
図１、８（ａ）〜（ｃ）、１４に示す様に、シャフト６におけるケーシング５からの突出部位に圧縮バネ35を外装し、該圧縮バネ35の両端部を、ケーシング５及びシャフト６の先端に設けたバネ受け36に当接状態として、シャフト６をケーシング５から抜き出す方向に付勢し、この圧縮バネ35の弾性復元力により一方のリング状部品24に、シャフト６、ピン21を介して他方のリング状部品25から離間させようとする力が作用している。
つまり、圧縮バネ35は、ケーシング５に対しシャフト６を押し込む方向にスライドさせれることで圧縮する様に成っている。
【００２４】
スペーサ８は、図２、７示す様な略Ｖ字状のバネとし、係合状態の２個のリング状部品24、25と一方の端板12との間に形成された隙間に狭入することで、２個のリング状部品24、25の係合状態を維持可能にしている。
よって、一方のリング状部品24は、他方のリング状部品25と係合状態のまま、圧縮バネ35の弾性復元力により、シャフト６、ピン21を介してスペーサ８に押し付けられている。
尚、スペーサ８は、要するに他方のリング状部品25に係合状態の一方のリング状部品24と一方の端板12との隙間に対し挿脱可能で、シャフト６の邪魔にならず、使用時に２個のリング状部品24、25の係合状態を維持可能なものであれば何でも良い。
【００２５】
２個のリング状部品24、25は、図１１〜１３に示す様に、側部にインナーケーブル４の通過スリット37、38を形成しても良く、該インナーケーブル通過スリット37、38は同一直線状に配置され、図面上、一方のリング状部品24の通過スリット37はピン通過部位34でもあり、他方のリング状部品25のインナーケーブル通過スリット38の幅をピン21が通過不能な寸法に設定してあるが、通過スリット37とピン通過部位34を別々に設けても良い。
【００２６】
アジャスター１を取り付けたコントロールケーブルの他の実施例にあっては、図１５に示す様に、バネ受け36を第２アウターケーブル３に設けている点を除き、図１４のものと同一構成としている。
【００２７】
次に、コントロールケーブル用のアジャスター１の組立て法について説明する。
（１）ケーシング５における一方の空間13内に長さ調節具７を、該長さ調節具７における一方のリング状部品24のピン通過部位34を、ケーシング５における一方の端板12のピン通過部位33に合わせると共に、他方のリング状部品25も両側部位を突条32、32a と仕切板10との間に狭入する様にして収容し、ピン通過部位33、34にピン21を合わせたシャフト６の基端部をシャフト挿通孔14を通過させて一方の空間13内に、ピン21がピン通過部位33を通過するまで挿入する（図９（ａ）参照）。
（２）シャフト６及び長さ調節具７を、ピン21が正面中央に位置するまで回転させる（図９（ｂ）、図１０（ａ）参照）。
（３）シャフト６を押し込み、該シャフト６の基端部を仕切板10における挿通孔15を貫通させて他方の空間13a 内に突出させる（図１０（ｂ）参照）。
（４）長さ調節具７による調整後、他方のリング状部品25係合状態の一方のリング状部品24と一方の端板12との間の隙間にスペーサ８を狭入する。
【００２８】
次に、コントロールケーブル用のアジャスター１による調整方法について説明する。
（１）ケーシング５からスペーサ８を抜き取る。
（２）一方のリング状部品24をスライドさせて他方のリング状部品25から離間させると共にシャフト６を押し込んで、ピン21を溝26、26a …内から離間状態の２個のリング状部品24、25の間に移動させる。
（３）２個のリング状部品24、25が離間状態の長さ調節具７を、所定の溝26、26a …がピン21の位置に到達するまで回転させた後、一方のリング状部品24をスライドさせてピン21を所定の溝26、26a …内に収容すると共に、他方のリング状部品25と係合させ、その際にシャフト６が進退することで、アウターケーブル全体としての長さを伸縮させて遊動長Ｘ１、Ｘ２を調節する。
（４）一方のリング状部品24と一方の端板12との間の隙間にスペーサ８を狭入する。
【符号の説明】
【００２９】
２、３      第１、２アウターケーブル
４          インナーケーブル
５          ケーシング
６          シャフト
７          長さ調節具
８          スペーサ
９          枠板
10          仕切板
13、13a     空間
21          ピン
22          インナーケーブル挿通孔
24、25      リング状の部品
26、26a …  溝
28          凹部
29          螺旋傾斜面
30          突起
31          切込み
35          圧縮バネ
36          バネ受け
37、38      インナーケーブル通過スリット
ｓ          調整長さの最小単位
【図１】
2019065977.tif 000003
【図２】
2019065977.tif 000004
【図３】
2019065977.tif 000005
【図４】
2019065977.tif 000006
【図５】
2019065977.tif 000007
【図６】
2019065977.tif 000008
【図７】
2019065977.tif 000009
【図８（ａ）】
2019065977.tif 000010
【図８（ｂ）】
2019065977.tif 000011
【図８（ｃ）】
2019065977.tif 000012
【図９（ａ）】
2019065977.tif 000013
【図９（ｂ）】
2019065977.tif 000014
【図１０（ａ）】
2019065977.tif 000015
【図１０（ｂ）】
2019065977.tif 000016
【図１１】
2019065977.tif 000017
【図１２】
2019065977.tif 000018
【図１３】
2019065977.tif 000019
【図１４】
2019065977.tif 000020
【図１５】
2019065977.tif 000021